【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
第１のパケットフォーマットを使用してビーコンメッセージを、および第２のパケットフォーマットを使用してビーコンメッセージをインターリーブする方式で送信されるビーコンメッセージを処理するための方法であって、
送受信機を介して受信機によって、前記第１のパケットフォーマットの第１のビーコンメッセージを受信することと、
前記第２のパケットフォーマットの１つまたは複数のビーコンメッセージの存在を示す、前記第１のビーコンメッセージ中の情報を検出することと、
前記検出された情報に基づいて、前記第２のパケットフォーマットの前記１つまたは複数のビーコンメッセージを処理するように前記受信機を調整することと、
前記受信機を調整したことに応答して前記送受信機を介して前記受信機によって、前記第２のパケットフォーマットの第２のビーコンメッセージを受信することと、
前記受信機によって、前記受信された第２のビーコンメッセージに基づいて動作を実行することと
を備える、方法。
【請求項２】
前記送受信機を介して前記第２のパケットフォーマットの前記第２のビーコンメッセージを受信することが、前記送受信機を介して前記第１のパケットフォーマットの前記第１のビーコンメッセージを受信することよりも多量の電力を消費する、請求項１に記載の方法。
【請求項３】
前記検出された情報に基づいて、前記第２のパケットフォーマットの前記１つまたは複数のビーコンメッセージを処理するように前記受信機を調整することが、
前記受信機によって、前記検出された情報に基づいて、前記第２のパケットフォーマットの前記１つまたは複数のビーコンメッセージと関連付けられるソフトウェア実装形態を起動することと、
前記受信機によって、前記受信機における前記第２のパケットフォーマットの前記１つまたは複数のビーコンメッセージの受信を前記ソフトウェア実装形態が監視する頻度を上げるために、前記第２のパケットフォーマットの前記１つまたは複数のビーコンメッセージと関連付けられる前記ソフトウェア実装形態のデューティ比を変更することと
の少なくとも１つを備える、請求項１に記載の方法。
【請求項４】
前記受信機によって、前記受信された第２のビーコンメッセージに基づいて前記動作を実行することが、前記受信機によって、前記受信された第２のビーコンメッセージからのデータを含むサイティングメッセージをサーバに送信することを備える、請求項１に記載の方法。
【請求項５】
前記受信機によって、前記受信された第１のビーコンメッセージを処理することによってデータの第１の部分を識別することと、
前記受信機によって、前記受信された第２のビーコンメッセージを処理することによって前記データの第２の部分を識別することと
をさらに備え、前記受信機によって、前記受信された第２のビーコンメッセージに基づいて前記動作を実行することが、
前記受信機によって、前記データの前記識別された第１の部分と前記データの前記識別された第２の部分とを組み合わせることと、
前記受信機によって、前記データの前記識別された第１の部分と前記データの前記識別された第２の部分との前記組合せに基づいてコマンドを生成することと、
前記受信機によって前記コマンドを実行することと
を備える、請求項１に記載の方法。
【請求項６】
前記第１のビーコンメッセージおよび前記第２のビーコンメッセージが接続不可能Ｂｌｕｅｔｏｏｔｈパケットである、請求項１に記載の方法。
【請求項７】
前記第１のビーコンメッセージが、０という第１の長さを伴う第１の普遍的な固有の識別子を含むか、または、Ｂｌｕｅｔｏｏｔｈ  ＳＩＧにより規定される普遍的な固有の識別子を含まない、のどちらかであり、
前記第２のビーコンメッセージが、０ではない第２の長さを伴う第２の普遍的な固有の識別子を含む、請求項１に記載の方法。
【請求項８】
ビーコンメッセージを受信するように構成された送受信機と、
前記送受信機に結合され、
前記送受信機を介して、第１のパケットフォーマットの第１のビーコンメッセージを受信することと、
第２のパケットフォーマットの１つまたは複数のビーコンメッセージの存在を示す、前記第１のビーコンメッセージ中の情報を検出することと、
前記検出された情報に基づいて、前記第２のパケットフォーマットの前記１つまたは複数のビーコンメッセージを処理するようにコンピューティングデバイスを調整することと、
前記コンピューティングデバイスを調整したことに応答して前記送受信機を介して、前記第２のパケットフォーマットの第２のビーコンメッセージを受信することと、ここにおいて、前記第１のビーコンメッセージおよび前記第２のビーコンメッセージは、インターリーブ方式で送信される、
前記受信された第２のビーコンメッセージに基づいて動作を実行することと
を備える動作を実行することによって、前記第１のパケットフォーマットを使用してビーコンメッセージを、および前記第２のパケットフォーマットを使用してビーコンメッセージをインターリーブする前記方式で送信される前記ビーコンメッセージを処理するように、プロセッサ実行可能命令によって構成されたプロセッサと
を備える、コンピューティングデバイス。
【請求項９】
前記送受信機を介して前記第２のパケットフォーマットの前記第２のビーコンメッセージを受信することが、前記送受信機を介して前記第１のパケットフォーマットの前記第１のビーコンメッセージを受信することよりも多量の電力を消費するように、前記プロセッサがプロセッサ実行可能命令によって構成される、請求項８に記載のコンピューティングデバイス。
【請求項１０】
前記検出された情報に基づいて、前記第２のパケットフォーマットの前記１つまたは複数のビーコンメッセージを処理するように前記コンピューティングデバイスを調整することが、
前記検出された情報に基づいて、前記第２のパケットフォーマットの前記１つまたは複数のビーコンメッセージと関連付けられるソフトウェア実装形態を起動することと、
前記コンピューティングデバイスにおける前記第２のパケットフォーマットの前記１つまたは複数のビーコンメッセージの受信を前記ソフトウェア実装形態が監視する頻度を上げるために、前記第２のパケットフォーマットの前記１つまたは複数のビーコンメッセージと関連付けられる前記ソフトウェア実装形態のデューティ比を変更することと
の少なくとも１つを備えるように、前記プロセッサがプロセッサ実行可能命令によって構成される、請求項８に記載のコンピューティングデバイス。
【請求項１１】
前記受信された第２のビーコンメッセージに基づいて前記動作を実行することが、前記受信された第２のビーコンメッセージからのデータを含むサイティングメッセージをサーバに送信することを備えるように、前記プロセッサがプロセッサ実行可能命令によって構成される、請求項８に記載のコンピューティングデバイス。
【請求項１２】
前記プロセッサが、
前記受信された第１のビーコンメッセージを処理することによってデータの第１の部分を識別することと、
前記受信された第２のビーコンメッセージを処理することによって前記データの第２の部分を識別することと
をさらに備えるプロセッサ実行可能命令によって構成され、
前記受信された第２のビーコンメッセージに基づいて前記動作を実行することが、
前記データの前記識別された第１の部分と前記データの前記識別された第２の部分とを組み合わせることと、
前記データの前記識別された第１の部分と前記データの前記識別された第２の部分との前記組合せに基づいてコマンドを生成することと、
前記コマンドを実行することと
を備える、請求項８に記載のコンピューティングデバイス。
【請求項１３】
前記第１のビーコンメッセージが、０という第１の長さを伴う第１の普遍的な固有の識別子を含むか、または、Ｂｌｕｅｔｏｏｔｈ  ＳＩＧにより規定される普遍的な固有の識別子を含まない、のどちらかであり、
前記第２のビーコンメッセージが、０ではない第２の長さを伴う第２の普遍的な固有の識別子を含む、請求項８に記載のコンピューティングデバイス。
【請求項１４】
第１のパケットフォーマットを使用してビーコンメッセージを、および第２のパケットフォーマットを使用してビーコンメッセージをインターリーブする方式で送信されるビーコンメッセージを受信および処理するように構成されたコンピューティングデバイスと、
複数の近くのビーコンデバイスのうちの第１のビーコンデバイスと
を備え、前記コンピューティングデバイスが、
第１の送受信機と、
前記第１の送受信機に結合され、動作を実行するようにプロセッサ実行可能命令によって構成された第１のプロセッサと
を備え、前記動作が、
前記第１の送受信機を介して、前記第１のパケットフォーマットの第１のビーコンメッセージを受信することと、
前記複数の近くのビーコンデバイスのうちの１つによって送信されている前記第２のパケットフォーマットの１つまたは複数のビーコンメッセージの存在を示す、前記第１のビーコンメッセージ中の情報を検出することと、
前記検出された情報に基づいて、前記第２のパケットフォーマットの前記１つまたは複数のビーコンメッセージを処理するように前記コンピューティングデバイスを調整することと、
前記コンピューティングデバイスを調整したことに応答して前記第１の送受信機を介して、前記第２のパケットフォーマットの第２のビーコンメッセージを受信することと、ここにおいて、前記第１のビーコンメッセージおよび前記第２のビーコンメッセージは、前記インターリーブ方式で送信される、
前記コンピューティングデバイスによって、前記受信された第２のビーコンメッセージに基づいて動作を実行することと
を備え、前記第１のビーコンデバイスが、
第２の送受信機と、
前記第２の送受信機に結合され、動作を実行するようにプロセッサ実行可能命令によって構成された第２のプロセッサと
を備え、前記動作が、
前記第２の送受信機を介して、前記第１のパケットフォーマットの前記第１のビーコンメッセージをブロードキャストすること
を備える、システム。
【請求項１５】
請求項１−７のうちのいずれかにしたがって方法を実行するための命令を備える、コンピュータプログラム。